(57)【要約】【課題】長期間に亘って安定に出力を維持できる燃料電池を提供する。【解決手段】複数のアノードと、前記複数のアノードと対となる複数のカソードと、前記複数のアノードと前記複数のカソードとに挟持された電解質膜とからなる膜電極接合体と、前記膜電極接合体を挟持する集電体と、前記膜電極接合体の前記複数のアノード側に配置され、前記複数のアノードに燃料を供給するための燃料供給機構と、前記膜電極接合体の前記複数のカソード側に配置される保湿層とを備え、前記集電体は、前記複数のカソード間の領域と対向して配置されたスリットを有している燃料電池。【選択図】図１
2010250961.tif 000002
【特許請求の範囲】
【請求項１】
複数のアノードと、前記複数のアノードと対となる複数のカソードと、前記複数のアノードと前記複数のカソードとに挟持された電解質膜とからなる膜電極接合体と、
前記膜電極接合体を挟持する集電体と、
前記膜電極接合体の前記複数のアノード側に配置され、前記複数のアノードに燃料を供給するための燃料供給機構と、
前記膜電極接合体の前記複数のカソード側に配置される保湿層と、を備え、
前記集電体は、前記複数のカソード間の領域と対向して配置されたスリットを有している燃料電池。
【請求項２】
前記集電体は、前記カソードと接触するカソード導電層と、前記カソード導電層を固定する固定層とを備え、前記スリットは前記固定層に設けられている請求項１記載の燃料電池。
【請求項３】
前記電解質膜は、ガス排出口を備え、
前記ガス排出口は、前記スリットと対向して配置されている請求項１または請求項２記載の燃料電池。
【発明の詳細な説明】
【技術分野】
【０００１】
本発明は、燃料電池に関し、特に液体燃料を用いる燃料電池に関する。
【０００２】
近年、ノートパソコンや携帯電話等の各種携帯用電子機器を長時間充電しないで使用可能とするために、これら携帯用電子機器の電源に燃料電池を用いる試みがなされている。燃料電池は燃料と空気とを供給するだけで発電することができ、燃料を補給すれば連続して長時間発電することが可能であるという特徴を有している。このため、燃料電池を小型化できれば、携帯用電子機器の電源として極めて有利なシステムといえる。
【０００３】
直接メタノール型燃料電池（Direct Methanol Fuel Cell：ＤＭＦＣ）は小型化が可能であり、さらに燃料の取り扱いも容易であるため、携帯用電子機器の電源として期待されている。
【０００４】
ＤＭＦＣにおける液体燃料の供給方式としては、気体供給型や液体供給型等のアクティブ方式、また燃料収容部内の液体燃料を電池内部で気化させて燃料極に供給する内部気化型等のパッシブ方式が知られている。
【０００５】
アノード（燃料極）に燃料を供給する手段としては、さまざまな方法が採用可能である。例えば、メタノール水溶液等の液体燃料を、アノード導電層の下に直接流通させる方式や、燃料電池の外部で、メタノール等を蒸発させて気体燃料を生じ、その気体燃料をアノード導電層の下に流通させる外部気化型、燃料収容部に純メタノールやメタノール水溶液等の液体燃料を収容し、液体燃料を電池内部で気化させてアノードに供給する内部気化型等が考えられる。
【０００６】
また、カソード（空気極）に酸化剤である空気を供給する手段としては、空気をファンやブロワにより強制的に供給するアクティブ型や、大気からの自然拡散のみにより供給する自発呼吸（パッシブ）型などが考えられる。
【０００７】
これらのうち、内部気化型等のパッシブ方式はＤＭＦＣの小型化に対して特に有利である。パッシブ型ＤＭＦＣにおいては、例えば燃料極、電解質膜および空気極を有する膜電極接合体（燃料電池セル）を、樹脂製の箱状容器からなる燃料収容部上に配置した構造が提案されている（例えば特許文献１参照）。膜電極接合体は、燃料極側に配置されるアノード導電層と、空気極側に配置されるカソード導電層とに挟持されている。
【０００８】
燃料収容部から流路を介して燃料供給部に供給された液体燃料は、液体燃料のまま、もしくは液体燃料と液体燃料が気化した気化燃料が混在する状態で、燃料分配層およびアノード導電層を介して燃料電池セルのアノードガス拡散層に供給される。アノードガス拡散層に供給された燃料は、アノードガス拡散層で拡散してアノード触媒層に供給される。液体燃料としてメタノール燃料を用いた場合、アノード触媒層で次の式（１）に示すメタノールの内部改質反応が生じる。
【０００９】
ＣＨ３ＯＨ＋Ｈ２Ｏ  →  ＣＯ２＋６Ｈ＋＋６ｅ−  …式（１）
なお、メタノール燃料として純メタノールを使用した場合には、メタノールは、カソード触媒層で生成した水や電解質膜中の水と上記した式（１）の内部改質反応によって改質されるか、または水を必要としない他の反応機構により改質される。
【００１０】
この反応で生成した電子（ｅ−）は、導電層を経由して外部に導かれ、いわゆる電気として携帯用電子機器等を動作させた後、カソードに導かれる。この導電層としては、この導電層を絶縁フィルム等からなる固定層上に一体化されたものを使用することも検討されている（例えば特許文献２参照）。
【００１１】
また、式（１）の内部改質反応で生成したプロトン（Ｈ+）は、電解質膜を経てカソードに導かれる。カソードには、保湿層を介して、酸化剤ガスとして空気が供給される。カソードに到達した電子（ｅ−）とプロトン（Ｈ+）は、カソード触媒層で空気中の酸素と次の式（２）に示す反応を生じ、この発電反応に伴って水が生成する。
【００１２】
（３／２）Ｏ２＋６ｅ−＋６Ｈ＋  →  ３Ｈ２Ｏ  …式（２）
上記した内部改質反応が円滑に行なわれ、高出力で安定した出力を燃料電池において得るためには、式（２）によってカソード触媒層で生成した水（Ｈ２Ｏ）のうち少なくとも一部が、電解質膜を透過してアノード触媒層に拡散し、式（１）の反応によって消費されるというサイクルが、円滑に行なわれる必要がある。
【００１３】
これを実現するため、カソードの近傍に、カソード触媒層において生成した水を含浸して蒸散を抑止する保湿層を配置し、前記カソード触媒層の水分保持量が前記アノード触媒層の水分保持量よりも多い状態を形成し、浸透圧現象を利用して前記カソード触媒層で生成した水を前記電解質膜を通して前記アノード触媒層に供給している。
【先行技術文献】
【特許文献】
【００１４】
【特許文献１】国際公開第２００５／１１２１７２号パンフレット
【特許文献２】国際公開第２００６／０５７２８３号パンフレット
【発明の概要】
【発明が解決しようとする課題】
【００１５】
上記のような、保湿層を利用してカソードからアノードへの水の供給を促進する燃料電池では、燃料電池の発電中は常に、カソード触媒層に大量の水分を保持した状態となり、この状態で発電を長期間続けていると、カソード触媒層の気孔が水で塞がれ、カソード触媒層における空気の拡散性が低下する、いわゆるフラッディングを生じ、発電特性が低下する場合があった。
【００１６】
このフラッディングの発生のしやすさは、燃料電池の発電中のカソードの温度と密接な関係がある。カソードの温度が高い場合、そのカソード触媒層における水の蒸気圧は高いため、水蒸気は保湿層を透過して外気へ蒸散しやすい。一方、カソードの温度が低い場合、そのカソード触媒層やその周辺における水の蒸気圧は低く、水蒸気は外気へは余り蒸散せず、フラッディングが発生しやすい。
【００１７】
ところが、通常の燃料電池では、カソードの温度は全ての場所で等しいとは限らず、膜電極接合体の平面方向（図１に示すＸ−Ｙ方向）で温度分布が生じているのが一般的である。特に、カソード触媒層と、その周辺の空間の境目に当たる部分では、温度が急激に変化するために水蒸気の凝縮が生じやすく、従ってカソード触媒層のうち周縁部においては特にフラッディングを生じやすい傾向があった。
【００１８】
また、カソードへ空気の供給が円滑に行なわれない場合には、カソードでの上記反応が円滑に行なわれなくなり、発電特性が低下することになる。
【００１９】
本発明は、上記の事情に鑑みて成されたものであって、その目的は、長期間に亘って安定に出力を維持できる燃料電池を提供することにある。
【課題を解決するための手段】
【００２０】
上記の課題を解決するために、本発明の一態様による燃料電池は、複数のアノードと、前記複数のアノードと対となる複数のカソードと、前記複数のアノードと前記複数のカソードとに挟持された電解質膜とからなる膜電極接合体と、前記膜電極接合体を挟持する集電体と、前記膜電極接合体の前記複数のアノード側に配置され、前記複数のアノードに燃料を供給するための燃料供給機構と、前記膜電極接合体の前記複数のカソード側に配置される保湿層と、を備え、前記集電体は、前記複数のカソード間の領域と対向して配置されたスリットを有している燃料電池である。
【発明の効果】
【００２１】
本発明によれば、長期間に亘って安定に出力を維持できる燃料電池を提供することができる。
【図面の簡単な説明】
【００２２】
【図１】本発明の第１実施例に係る燃料電池の構成例を説明するための断面図である。
【図２】本発明の第１実施例に係る燃料電池の集電体の構成例を説明するための図である。
【図３】本発明の第２実施例に係る燃料電池の集電体の構成例を説明するための図である。
【図４】本発明の第１実施例、第２実施例および第１比較例に係る燃料電池の出力電圧の測定結果の一例を説明するための図である。
【図５】本発明の第３実施例に係る燃料電池の構成例を説明するための断面図である。
【図６】本発明の第３実施例に係る燃料電池の集電体の構成例を説明するための図である。
【図７】本発明の第４実施例に係る燃料電池の集電体の構成例を説明するための図である。
【図８】本発明の第６実施例に係る燃料電池の集電体の構成例を説明するための図である。
【図９】本発明の第３乃至第６実施例および第２比較例に係る燃料電池の出力電圧の測定結果の一例を説明するための図である。
【発明を実施するための形態】
【００２３】
以下、本発明の一実施形態に係る燃料電池について図面を参照して説明する。本発明の一実施形態に係る燃料電池は、例えば図１に示すように、複数のアノード（燃料極）と、複数のカソード（空気極）と、複数のアノードと複数のカソードとに挟持された電解質膜１５とからなる膜電極接合体１０とを備える。
【００２４】
複数のアノードのそれぞれは、アノードガス拡散層１２と、アノードガス拡散層１２上に配置されたアノード触媒層１１とを有している。複数のカソードのそれぞれは、カソードガス拡散層１４と、カソードガス拡散層１４上に配置されたカソード触媒層１３とを有している。
【００２５】
膜電極接合体１０は、集電体Ａによって挟持されている。集電体Ａは、カソードガス拡散層１４と接触するカソード導電層１７と、アノードガス拡散層１２と接触するアノード導電層１６と、カソード導電層１７およびアノード導電層１６とを固定する固定層１８とを備えている。
【００２６】
膜電極接合体１０のアノード側には、アノードに燃料を供給するための燃料供給機構４０が配置されている。膜電極接合体１０のカソード側には、カソードで生成した水を蒸散させづらく保持しやすい保湿層２１が配置されている。
【００２７】
ここで、本実施形態に係る燃料電池は、並んで配置されたカソードガス拡散層１４およびカソード触媒層１３（以下、この２つを合わせて「カソード」と称する）間の領域と対向ように固定層１８にスリット１８Ａが設けられている。以下に、本実施形態に係る燃料電池の実施例について説明する。
【００２８】
（第１実施例）
以下、第１実施例に係る燃料電池について説明する。アノード用触媒粒子（Ｐｔ：Ｒｕ＝１：１）を担持したカーボンブラックに、プロトン伝導性樹脂としてパーフルオロカーボンスルホン酸溶液と、分散媒として水およびメトキシプロパノールを添加し、アノード用触媒粒子を担持したカーボンブラックを分散させてペーストを調製した。
【００２９】
上記のようにして得られたペーストをアノードガス拡散層１２としての多孔質カーボンペーパに塗布することにより、略矩形状のアノード触媒層１１を得た。
【００３０】
カソード用触媒粒子（Ｐｔ）を担持したカーボンブラックに、プロトン伝導性樹脂としてパーフルオロカーボンスルホン酸溶液と、分散媒として水およびメトキシプロパノールを添加し、カソード用触媒粒子を担持したカーボンブラックを分散させてペーストを調製した。得られたペーストをカソードガス拡散層１４としての多孔質カーボンペーパに塗布することにより、略矩形状のカソード触媒層１３を得た。なお、Ｘ−Ｙ平面と略平行な方向において、アノードガス拡散層１２と、カソードガス拡散層１４とは、同形同大で、これらのガス拡散層１２、１４に塗布されたアノード触媒層１１およびカソード触媒層１３も同形同大である。
【００３１】
上記したように作製したアノード触媒層１１とカソード触媒層１３との間に、電解質膜１５としてのパーフルオロカーボンスルホン酸膜（商品名：nafion膜、デュポン社製）を配置し、上記したアノード触媒層１１とカソード触媒層１３とを相互に対向するように位置を合わせた状態でホットプレスを施すことにより、膜電極接合体１０を得た。
【００３２】
本実施例に係る燃料電池では、図１および図２に示すように、アノードガス拡散層１２、カソードガス拡散層１４の外形を、いずれもの略矩形状とし、２対のアノードガス拡散層１２および２つのカソードガス拡散層１４が、それぞれの長手方向（Ｙ方向）が略平行で、その間隔が１．５ｍｍとなるように並んで配置されるようにホットプレスを施し、膜電極接合体１０を作成した。
【００３３】
続いて、この膜電極接合体１０を、集電体Ａで挟んだ。この集電体Ａは、複数の開孔を有するアノード導電層１６およびカソード導電層１７を、同形状の開孔を有する固定層１８に一体化することで形成される。ここで、アノード導電層１６およびカソード導電層１７は、例えば、金、ニッケルなどの金属材料からなる多孔質層（例えばメッシュ）または箔体、薄膜あるいはステンレス鋼（ＳＵＳ）などの導電性金属材料に金などの良導電性金属を被覆した複合材などをそれぞれ使用することができる。また、固定層１８は、電極の外形形状と同一のポリエチレンテレフタレート（ＰＥＴ）製等の絶縁フィルムを使用することができる。
【００３４】
カソード導電層１７、アノード導電層１６および固定層１８は、それぞれ図２に示す形状で、この集電体Ａを膜電極接合体１０を間に挟み二つ折りすることで、上記した２対のアノード触媒層１１とカソード触媒層１３とが電気的に直列に接続されるように、形成されている。図１に示すように、カソード導電層１７はカソードと接触する位置において固定層１８に一体化されている。アノード導電層１６はアノードと接触する位置において固定層１８に一体化されている。
【００３５】
図１および図２に示すように、固定層１８には、１つのスリット１８Ａが設けられている。スリット１８Ａは、２つのカソード間の領域と対向する固定層１８の部分に、カソードの長手方向（Ｙ方向）と略平行に延びて配置されている。スリット１８Ａの長手方向と略直交する方向（Ｘ方向）の幅は略０．３ｍｍである。また、スリットの長さは、電極の長手方向の半分とし、電極長手方向の中心部をスリットの長さ方向の中心部と合わせるように配置した。
【００３６】
電解質膜１５と固定層１８との間には、それぞれゴム製で図１に示す断面の幅２ｍｍで、外形が固定層１８と同型の略矩形状であるＯリング１９を挟持してシールを施した。その上で、略平行に並んだアノードガス拡散層１２の間の領域と対向する電解質膜１５の部分に、ガス抜き穴２０を設けた。
【００３７】
カソード導電層１７の上には、保湿層２１と、この保湿層２１に積層された、複数の空気導入口２３を有する表面カバー２２とを有する。
【００３８】
保湿層２１は、カソードガス拡散層１４に対して電解質膜１５の反対側に位置している。この保湿層２１は、カソード触媒層１３で生成された水の一部を含浸して、水の蒸散を抑制すると共に、カソードガス拡散層１４に酸化剤を均一に導入することで、カソード触媒層１３への酸化剤（空気）の均一拡散を促進する機能を有している。この保湿層２１は、たとえば多孔質構造の部材で構成され、具体的な構成材料としては、ポリエチレンやポリプロピレンの多孔質体などが挙げられる。この実施の形態において、保湿板９は発泡ポリエチレンシートである。
【００３９】
表面カバー２２は、保湿層２１に対してカソード導電層１７の反対側に位置している。表面カバー２２は、外観が略箱状のものであり、例えばステンレス鋼（ＳＵＳ）によって形成されている。また、表面カバー２２は、酸化剤である空気を取入れるための複数の空気導入口２３を有している。この空気導入口２３は、例えばマトリクス状に設けられている。
【００４０】
なお、保湿層２１、表面カバー２２のいずれにも、ガス抜き穴２０に相当する位置に、穴を設け、ガス抜き穴２０から排出されるガスを阻害しないようにした。
【００４１】
一方、燃料分配層３０に液体燃料Ｆを供給する燃料供給機構４０は、図１に示すように、燃料収容部４１と、燃料供給部４２と、流路４３とを主に備える。燃料収容部４１には、燃料電池セルに対応した液体燃料Ｆが収容されている。液体燃料Ｆとしては、各種濃度のメタノール水溶液や純メタノール等のメタノール燃料が挙げられる。液体燃料Ｆは、必ずしもメタノール燃料に限られるものではない。
【００４２】
液体燃料Ｆは、例えばエタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、その他の液体燃料であってもよい。いずれにしても、燃料収容部４１には、燃料電池セルに応じた液体燃料が収容される。
【００４３】
燃料供給部４２は、配管等で構成される液体燃料Ｆの流路４３を介して燃料収容部４１と接続されている。燃料供給部４２には、燃料収容部４１から流路４３を介して液体燃料Ｆが導入され、導入された液体燃料Ｆおよび／またはこの液体燃料Ｆが気化した気化成分は、燃料分配層３０およびアノード導電層１６を介して膜電極接合体１０に供給される。
【００４４】
流路４３は、燃料供給部４２や燃料収容部４１と独立した配管に限られるものではない。例えば、燃料供給部４２や燃料収容部４１を積層して一体化する場合、これらを繋ぐ液体燃料Ｆの流路であってもよい。すなわち、燃料供給部４２は、流路等を介して燃料収容部４１と連通されていればよい。
【００４５】
燃料収容部４１に収容された液体燃料Ｆは、重力を利用して流路４３を介して燃料供給部４２まで落下させて送液することができる。また、流路４３に多孔体等を充填して、毛細管現象により燃料収容部４１に収容された液体燃料Ｆを燃料供給部４２まで送液してもよい。さらに、図１に示すように、流路４３の一部にポンプ４４を介在させて、燃料収容部４１に収容された液体燃料Ｆを燃料供給部４２まで強制的に送液してもよい。
【００４６】
燃料分配層３０は、例えば、複数の開口部３１が形成された平板で構成され、アノードガス拡散層１２と燃料供給部４２との間に挟持される。この燃料分配層３０は、液体燃料Ｆの気化成分や液体燃料Ｆを透過させない材料で構成され、具体的には、例えば、ポリエチレンテレフタレート（ＰＥＴ）樹脂、ポリエチレンナフタレート（ＰＥＮ）樹脂、ポリイミド系樹脂等で構成される。
【００４７】
また、燃料分配層３０は、例えば、液体燃料Ｆの気化成分と液体燃料Ｆとを分離し、その気化成分を膜電極接合体１０側へ透過させる気液分離膜で構成されてもよい。気液分離膜には、例えば、シリコーンゴム、低密度ポリエチレン（ＬＤＰＥ）薄膜、ポリ塩化ビニル（ＰＶＣ）薄膜、ポリエチレンテレフタレート（ＰＥＴ）薄膜、フッ素樹脂（たとえばポリテトラフルオロエチレン（ＰＴＦＥ）、テトラフルオロエチレン・パーフルオロアルキルビニルエーテル共重合体（ＰＦＡ）など）微多孔膜などが用いられる。
【００４８】
温度が２５℃、相対湿度が５０％の環境の下、上記したように作成した燃料電池に、純度９９.９重量％の純メタノールを供給した。上記した条件の下、１００時間発電を行った後の燃料電池の出力電圧（または、発電を開始したときの燃料電池の出力電圧）を計測した。
【００４９】
（第２実施例）
以下に第２実施例に係る燃料電池について説明する。なお、以下の説明において、上述の第１実施例に係る燃料電池と同様の構成については同一の符号を付して説明を省略する。
【００５０】
本実施例に係る燃料電池では、図３に示すように、集電体Ａのカソード間の領域と対向する部分に、４つのスリット１８Ａが設けられている。４つのスリット１８Ａは、その長手方向がカソードの長手方向（Ｙ方向）と略平行となるように、Ｙ方向に並んで配置されている。スリット１８Ａの長手方向と略直交する方向（Ｘ方向）の幅は、略０．３ｍｍである。また、スリットの長さは、電極の長手方向の長さの１／５とし、電極長手方向の中心部を対称中心として等間隔で配置した。
【００５１】
本実施例に係る燃料電池は、上記のスリット１８Ａの構成以外は上述の第１実施例に係る燃料電池と同様である。本実施例に係る燃料電池について、第１実施例の場合と同様にして出力電圧を測定した。
【００５２】
（第１比較例）
以下に第１比較例に係る燃料電池について説明する。本比較例に係る燃料電池は、集電体Ａのカソード間の領域と対向する部分にスリットを設けていない以外は、第１実施例に係る燃料電池と同様である。この第１比較例の燃料電池において、第１実施例の場合と同様にして出力電圧を測定した。
【００５３】
図４に示すように、上記第１比較例に係る燃料電池について測定された出力電圧を１００としたとき、第１実施例に係る燃料電池の出力電圧は１０５であって、第２実施例に係る燃料電池について測定された出力電圧は１１５であった。
【００５４】
すなわち、カソード間の領域と対向する集電体Ａの部分にスリット１８Ａを設けることによって、カソードで生成された水蒸気を逃がすとともに、外部から空気を取り入れることが可能となり、カソードでの反応が円滑に行なわれた結果、上記第１実施例および第２実施例に係る燃料電池では第１比較例に係る燃料電池よりも出力電圧が高くなったものと考えられる。
【００５５】
すなわち、上記第１実施例および第２実施例に係る燃料電池によれば、長期間に亘って安定に出力を維持できる燃料電池を提供することができる。
【００５６】
（第３実施例）
以下に、第３実施例に係る燃料電池について説明する。本実施例に係る燃料電池は、図５および図６に示すように、アノードガス拡散層１２、カソードガス拡散層１４の外形を、いずれも略矩形状とし、４対のアノードガス拡散層１２および４つのカソードガス拡散層１４が、それぞれの長手方向（Ｙ方向）が略平行で、その間隔が１．５ｍｍとなるように並んで配置されるようにホットプレスを施し、膜電極接合体１０を作成した。
【００５７】
Ｏリング１９は、図５に示す断面の幅２ｍｍで、外形が電極と同形状の略矩形状であり、ガス抜き穴２０は、略平行に並んだアノードガス拡散層の間の電解質膜１５に、４箇所に設けた。
【００５８】
カソード導電層１７、アノード導電層１６および固定層１８は、図６に示す形状で、上記した４対のアノード触媒層１１とカソード触媒層１３とが電気的に直列に接続されるように、形成されている。また、本実施例に係る燃料電池では、固定層１８に２つのスリット１８Ａが設けられている。また、スリットの長さは、電極の長手方向の長さの１／３とし、電極長手方向の中心部を対称中心として等間隔で配置した。
【００５９】
２つのスリット１８Ａは、カソード間の領域と対向する集電体Ａの部分において、その長手方向がカソードの長手方向（Ｙ方向）と略平行となるようにＹ方向に並んで配置されている。本実施例では、Ｘ方向に並ぶ３つのカソード間の領域と対向する集電体Ａの部分の、中央の領域に２つのスリット１８Ａが設けられている。スリット１８Ａの長手方向と略直交する方向（Ｘ方向）の幅は、略０．３ｍｍである。
【００６０】
上記した以外は、第１実施例に係る燃料電池と同様である。この第３実施例の燃料電池において、第１実施例の場合と同様にして燃料電池の出力電圧を測定した。
【００６１】
（第４実施例）
以下、第４実施例に係る燃料電池について説明する。なお、以下の説明において、上述の第３実施例に係る燃料電池と同様の構成については、同一の符号を付して説明を省略する。
【００６２】
本実施例に係る燃料電池では、カソード間の領域と対向する集電体Ａの部分において、９つのスリット１８Ａが設けられている。図７に示すように、Ｘ方向に並ぶ３つのカソード間の領域と対向する部分のそれぞれに、３つのスリット１８Ａが設けられている。この３つのスリット１８Ａは、その長手方向がカソードの長手方向（Ｙ方向）と略平行となるように、Ｙ方向に並んで配置されている。スリット１８Ａの長手方向と略直交する方向（Ｘ方向）の幅は０.３ｍｍである。
【００６３】
上記した以外は、第３実施例に係る燃料電池と同様である。この第４実施例に係る燃料電池において、第１実施例の場合と同様にして、燃料電池の出力電圧を測定した。
【００６４】
（第５実施例）
以下、第５実施例に係る燃料電池について説明する。本実施例に係る燃料電池では、カソード間の領域と対向する集電体Ａの部分において、９つのスリット１８Ａが設けられている。第４実施例の場合と同様に、Ｘ方向に並ぶ３つのカソード間の領域と対向する部分のそれぞれに、３つのスリット１８Ａが設けられている。この３つのスリット１８Ａは、その長手方向がカソードの長手方向（Ｙ方向）と略平行となるように、Ｙ方向に並んで配置されている。本実施例では、スリット１８Ａの長手方向と略直交する方向（Ｘ方向）の幅は０.０５ｍｍである。
【００６５】
上記した以外は、第３実施例に係る燃料電池と同様である。この第５実施例に係る燃料電池において、第１実施例の場合と同様にして、燃料電池の出力電圧を測定した。
【００６６】
（第６実施例）
以下、第６実施例に係る燃料電池について説明する。本実施例に係る燃料電池では、カソード間の領域と対向する集電体Ａの部分において、１２のスリット１８Ａが設けられている。図８に示すように、Ｘ方向に並ぶ３つのカソード間の領域と対向する部分のそれぞれに、４つのスリット１８Ａが設けられている。この４つのスリット１８Ａは、その長手方向がカソードの長手方向（Ｙ方向）と略平行となるように、Ｙ方向に並んで配置されている。本実施例では、スリット１８Ａの長手方向と略直交する方向（Ｘ方向）の幅は０.３ｍｍである。
【００６７】
上記した以外は、第３実施例に係る燃料電池と同様である。この第６実施例に係る燃料電池において、第１実施例の場合と同様にして、燃料電池の出力電圧を測定した。
【００６８】
（第２比較例）
以下、第２比較例に係る燃料電池について説明する。本比較例に係る燃料電池では、カソード間の領域と対向する集電体Ａの部分にスリットが設けられていない。上記した以外は第３実施例に係る燃料電池と同様である。この第２比較例に係る燃料電池において、第１実施例の場合と同様にして、燃料電池の出力電圧を測定した。
【００６９】
図９に示すように、上記第２比較例に係る燃料電池について測定された出力電圧を１００としたとき、第３実施例に係る燃料電池の出力電圧は１０５、第４実施例に係る燃料電池について測定された出力電圧は１１０、第５実施例に係る燃料電池について測定された出力電圧は１０３、第６実施例に係る燃料電池について測定された出力電圧は１１５であった。
【００７０】
すなわち、カソード間の領域と対向する集電体Ａの部分にスリット１８Ａを設けることによって、カソードで生成された水蒸気を逃がすとともに、外部から空気を取り入れることが可能となり、カソードでの反応が円滑に行なわれた結果、上記第３乃至第６実施例に係る燃料電池では第２比較例に係る燃料電池よりも出力電圧が高くなったものと考えられる。
【００７１】
すなわち、上記第３乃至第６実施例に係る燃料電池によれば、長期間に亘って安定に出力を維持できる燃料電池を提供することができる。
【００７２】
なお、この発明は、上記実施形態そのままに限定されるものではなく、実施段階ではその要旨を逸脱しない範囲で構成要素を変形して具体化できる。例えば、上記実施形態に係る燃料電池では、集電体Ａがカソード導電層およびアノード導電層を固定する固定層を備え、固定層にスリットが設けられていたが、集電体Ａが固定層を備えない場合には、導電層にスリットを設けてもよい。その場合であっても、上述の実施形態に係る燃料電池と同様の効果を得ることができる。
【００７３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７４】
１０…膜電極接合体、１１…アノード触媒層、１２…アノードガス拡散層、１３…カソード触媒層、１４…カソードガス拡散層、１５…電解質膜、１６…アノード導電層、１７…カソード導電層、１８…固定層、１８Ａ…スリット、２１…保湿層、４０…燃料供給機構、Ａ…集電体
【図１】
2010250961.tif 000003
【図２】
2010250961.tif 000004
【図３】
2010250961.tif 000005
【図４】
2010250961.tif 000006
【図５】
2010250961.tif 000007
【図６】
2010250961.tif 000008
【図７】
2010250961.tif 000009
【図８】
2010250961.tif 000010
【図９】
2010250961.tif 000011